(57)【要約】【課題】掃除機本体を大きくせずに、蓄電池の冷却が行えるようにし、かつ冷却に必要な消費電力を低減可能にした電気掃除機を提供することを目的とする。【解決手段】冷却時に蓄電池１３を、電動送風機９からの排気風１４を掃除機本体８外部へと排出する風路１５内に移動させる蓄電池移動装置１６を備えたものである。これによって、蓄電池１３の冷却時には蓄電池移動装置１６により蓄電池１３を風路１５に移動させるものであり、蓄電池１３の冷却風路を別に設けることなく、つまり掃除機本体８を大きくせずに蓄電池１３の冷却が行え、蓄電池１３の風路１５への移動調整を行うことにより、冷却に必要な消費電力を低減させることができる。【選択図】図１
2007117134.tif 000002
【特許請求の範囲】
【請求項１】
掃除機本体と、前記掃除機本体に内包された電動送風機と、前記掃除機本体に内蔵され前記電動送風機を駆動する蓄電池と、前記電動送風機から排出される排気風を前記掃除機本体の外部へと排出する風路と、前記蓄電池の冷却時に蓄電池を前記風路内に移動させる蓄電池移動装置とを備えた電気掃除機。
【請求項２】
掃除機本体を変形可能とし風路の容積を可変させる構成とした請求項１に記載の電気掃除機。
【請求項３】
蓄電池の移動時に蓄電池自体が風路の一部を形成し、排気風が移動された蓄電池に沿って流れ掃除機本体外へと排出される請求項１または２に記載の電気掃除機。
【請求項４】
蓄電池の移動は、蓄電池に設けられた冷却装置のみを移動させる構成とした請求項１〜３のいずれか１項に記載の電気掃除機。
【請求項５】
蓄電池と蓄電池移動装置を、掃除機本体内に複数配置し、各蓄電池を個別に移動させるようにした請求項１〜４のいずれか１項に記載の電気掃除機。
【請求項６】
蓄電池移動装置は、保持していた蓄電池を離すことで自重により蓄電池を移動させる構成とした請求項１〜５のいずれか１項に記載の電気掃除機。
【請求項７】
蓄電池移動装置は、熱変形部材で構成し、熱変形により蓄電池を移動させる構成とした請求項１〜６のいずれか１項に記載の電気掃除機。
【請求項８】
蓄電池移動装置は、蓄電池の温度に基づいて動作させる構成とした請求項１〜７のいずれか１項に記載の電気掃除機。
【請求項９】
蓄電池移動装置は、電動送風機の消費電力に基づいて動作させる構成とした請求項１〜８のいずれか１項に記載の電気掃除機。
【請求項１０】
蓄電池移動装置は、掃除機本体が充電台において充電が行われる際に蓄電池を移動させる構成とした請求項１〜９のいずれか１項に記載の電気掃除機。
【発明の詳細な説明】
【技術分野】
【０００１】
本発明は、蓄電池を有する充電式の電気掃除機に関するものである。
【背景技術】
【０００２】
従来、この種の充電式の電気掃除機としては、塵埃を搬送する集塵風路とは別に蓄電池を冷却するための冷却風を流す風路を設けて蓄電池の冷却に必要な量だけ冷却風を流すようにしたものが知られている（例えば、特許文献１参照）。
【特許文献１】特開２００３−２９００８６号公報
【発明の開示】
【発明が解決しようとする課題】
【０００３】
しかしながら、前記従来の構成では、冷却風の風路は蓄電池の温度が最も高い際に蓄電池を冷却するのに十分な冷却風を流すことができる空間が確保されている。このため掃除機本体が大きくなり使い勝手が低下するという課題を有していた。
【０００４】
本発明は、前記従来の課題を解決するもので、掃除機本体を大きくせずに、蓄電池の冷却が行えるようにし、かつ冷却に必要な消費電力を低減可能にした電気掃除機を提供することを目的とする。
【課題を解決するための手段】
【０００５】
前記従来の課題を解決するために、本発明の電気掃除機は、冷却時に蓄電池を、電動送風機からの排気風を掃除機本体外部へと排出する風路内に移動させる蓄電池移動装置を備えたものである。
【０００６】
これによって、蓄電池の冷却時には蓄電池移動装置により蓄電池を風路に移動させるものであり、蓄電池の冷却風路を別に設けることなく、つまり掃除機本体を大きくせずに蓄電池の冷却が行え、蓄電池の風路への移動調整を行うことにより、冷却に必要な消費電力を低減させることができる。
【発明の効果】
【０００７】
本発明の電気掃除機は、掃除機本体を大きくせずに蓄電池の冷却が行え、かつ冷却に必要な消費電力を低減させることができる。
【発明を実施するための最良の形態】
【０００８】
第１の発明は、掃除機本体と、前記掃除機本体に内包された電動送風機と、前記掃除機本体に内蔵され前記電動送風機を駆動する蓄電池と、前記電動送風機から排出される排気風を前記掃除機本体の外部へと排出する風路と、前記蓄電池の冷却時に蓄電池を前記風路内に移動させる蓄電池移動装置とを備えた電気掃除機とすることにより、蓄電池の冷却時には蓄電池移動装置により蓄電池を風路に移動させるものであり、蓄電池の冷却風路を別に設けることなく、つまり掃除機本体を大きくせずに蓄電池の冷却が行え、蓄電池の風路への移動調整を行うことにより、冷却に必要な消費電力を低減させることができる。
【０００９】
第２の発明は、特に、第１の発明において、掃除機本体を変形可能とし風路の容積を可変させる構成としたことにより、蓄電池の温度が低く排気風を流す必要が無い場合には風路を狭くすると共に掃除機本体の外形を小さくすることで、使い勝手を向上させることができる。
【００１０】
第３の発明は、特に、第１または第２の発明において、蓄電池の移動時に蓄電池自体が風路の一部を形成し、排気風が移動された蓄電池に沿って流れ掃除機本体外へと排出されることにより、排気風が蓄電池の周囲を通過する際に排気風の流れに乱れが生じて排気風が流れにくくなり消費電力が増加することを抑えることが可能となり、電気掃除機全体の消費電力を低減することができる。
【００１１】
第４の発明は、特に、第１〜第３のいずれか１つの発明において、蓄電池の移動は、蓄電池に設けられた冷却装置のみを移動させる構成としたことにより、蓄電池全体を動作させるよりも少ない消費電力で蓄電池移動装置を動作でき、消費電力を低減することができる。
【００１２】
第５の発明は、特に、第１〜第４のいずれか１つの発明において、蓄電池と蓄電池移動装置を、掃除機本体内に複数配置し、各蓄電池を個別に移動させるようにしたことにより、蓄電池の配置をより様々に設定可能となるため、蓄電池各部の温度に合わせて最低限の抵抗で冷却が可能となるため、消費電力を低減することができる。
【００１３】
第６の発明は、特に、第１〜第５のいずれか１つの発明において、蓄電池移動装置は、保持していた蓄電池を離すことで自重により蓄電池を移動させる構成としたことにより、蓄電池を少ない動力ですばやく移動させることが可能となり、消費電力を低減することができる。
【００１４】
第７の発明は、特に、第１〜第６のいずれか１つの発明において、蓄電池移動装置は、熱変形部材で構成し、熱変形により蓄電池を移動させる構成としたことにより、蓄電池を少ない動力で移動させることが可能となり、消費電力を低減することができる。
【００１５】
第８の発明は、特に、第１〜第７のいずれか１つの発明において、蓄電池移動装置は、蓄電池の温度に基づいて動作させる構成としたことにより、使用者が蓄電池の温度を意識することなく最低限の抵抗で冷却を行うため、消費電力を低減することができる。
【００１６】
第９の発明は、特に、第１〜第８のいずれか１つの発明において、蓄電池移動装置は、電動送風機の消費電力に基づいて動作させる構成としたことにより、電動送風機の電力消費増加により蓄電池の温度が上昇する前に蓄電池移動装置を動作させるため、電池が高温になることをより確実に防ぐことができる。
【００１７】
第１０の発明は、特に、第１〜第９のいずれか１つの発明において、蓄電池移動装置は、掃除機本体が充電台において充電が行われる際に蓄電池を移動させる構成としたことにより、電動送風機が動作せず排気風が流れないなど清掃作業時とは異なる状況の充電時において、充電に伴い蓄電池に生じる熱が蓄電池の移動で周囲に放散されやすくなり蓄電池が高温になりにくくなるため、より早く充電を行うことができる。
【００１８】
以下、本発明の実施の形態について、図面を参照しながら説明する。なお、この実施の形態によって本発明が限定されるものではない。
【００１９】
（実施の形態１）
図１、図２は、本発明の実施の形態１における電気掃除機を示すものである。
【００２０】
図１に示すように、掃除機本体８には電動送風機９が内蔵されている。掃除機本体８には可撓性ホース１０が接続され、可撓性ホース１０のもう一端には延長管１１が取付けられ延長管１１には床用吸込み具１２が取付けられている。掃除機本体８の内部には、電動送風機９を駆動する蓄電池１３が配置され、電動送風機９から排出される排気風１４を蓄電池１３の周囲を通過させ掃除機本体８の外部へと排出する風路１５が配置されている。また、掃除機本体８には蓄電池１３の冷却時に蓄電池１３を風路１５へ移動させ排気風１４の流れに対する位置や角度を変更させる蓄電池移動装置１６を配している。
【００２１】
図２（ａ）に示すように、通常は、掃除機本体８内部の蓄電池１３は排気風１４の当たらない位置に置かれている。蓄電池移動装置１６は、蓄電池支持部１７と本体変形装置１８と電池温度測定装置１９とから構成されている。蓄電池支持部１７は、上下動用モータ２０と上下動用ラック・ピニオン２１とから構成されており、上下動用モータ２０は掃除機本体８に固定され上下動用ラック・ピニオン２１を通じて蓄電池１３と接続されている。本体変形装置１８は、変形用モータ２２と本体変形機構２３と本体弾性変形部２４とから構成されている。
【００２２】
変形用モータ２２は本体変形機構２３と接続され、本体変形機構２３は本体弾性変形部２４と接続されている。本体弾性変形部２４は弾性体によって構成されており、本体変形機構２３の動作に伴い掃除機本体８との間に隙間が生じないように本体変形機構２３と掃除機本体８の間をつないでいる。電池温度測定装置１９は蓄電池１３に取付けられている。
【００２３】
図２（ｂ）に示すように、蓄電池１３の冷却時においては、蓄電池移動装置１６は蓄電池１３を排気風１４の流速が早く排気風１４によって蓄電池１３が冷却されやすい風路１５の中心へと移動させている。掃除機本体８は本体変形装置１８により変形され、全体の体積が増し、同時に風路１５が広くなっている。
【００２４】
以上のように構成された電気掃除機について、以下その動作、作用を説明する。
【００２５】
まず、電気掃除機を起動すると、蓄電池１３から出力を得て電動送風機９が動作される。これによって、床用吸込み具１２から延長管１１と可撓性ホース１０を通じ掃除機本体８へと空気が吸引される。吸引された空気は塵埃を取り除かれた後、電動送風機９内を通過し風路１５へ排出される。電気掃除機起動直後は蓄電池１３の温度は低いため、排気風１４を蓄電池１３に当てて冷却する必要は無く、蓄電池１３は排気風１４の当たらない位置に配置され、排気風１４はほとんど抵抗を受けること無く風路１５を通じ掃除機本体８の外へと排気される（図２（ａ））。
【００２６】
続いて、清掃作業をしばらく行った後に、電動送風機９の発熱や蓄電池１３自体の発熱などにより、蓄電池１３の温度が高くなる。蓄電池１３の温度が高くなったことを電池温度測定装置１９が検知すると、蓄電池移動装置１６を動作させる。
【００２７】
蓄電池移動装置１６では蓄電池支持部１７が動作する。蓄電池支持部１７では上下動用モータ２０が上下動用ラック・ピニオン２１を通じて蓄電池１３を風路１５の排気風１４が良く当たる位置に移動させる。蓄電池１３の移動に伴い風路１５は狭くなり排気風１４が流れにくくなるため、風路１５を広くする。しかし、掃除機本体８内には風路１５を広くする空間が無いため、掃除機本体８内に空間を作るように本体変形装置１８によって掃除機本体８を変形させる。本体変形装置１８では変形用モータ２２が本体変形機構２３を動作させ掃除機本体８の上面を持ち上げる。それに伴い弾性体で構成された本体弾性変形部２４も本体変形機構２３に引っ張られて変形されつつ掃除機本体８が変形される。変形によって風路１５は広くなり、より多くの排気風１４を流すことができるようになり蓄電池１３の冷却が確実に行われる（図２（ｂ））。
【００２８】
続いて、清掃作業終了後に操作者が電気掃除機を停止すると、蓄電池移動装置１６が再び動作し蓄電池１３を元の位置に戻す（図２（ａ））。
【００２９】
なお、本実施の形態において、蓄電池移動装置１６は動力を用いて動作させる構成としたが、操作者が動作させる構成としても構わない。
【００３０】
このように、本実施の形態では、蓄電池移動装置を備えることにより、蓄電池の冷却時には蓄電池移動装置により蓄電池を風路に移動させるものであり、蓄電池の冷却風路を別に設けることなく、つまり掃除機本体を大きくせずに蓄電池の冷却が行え、蓄電池の風路への移動調整を行うことにより、冷却に必要な消費電力を低減させることができる。
【００３１】
また、掃除機本体を変形可能とし風路の容積を可変させる構成とすることにより、蓄電池の温度が低く排気風を流す必要が無い場合には風路を狭くすると共に掃除機本体の外形を小さくすることで、使い勝手を向上させることができる。
【００３２】
また、蓄電池移動装置は、蓄電池の温度に基づいて動作させる構成とすることにより、使用者が蓄電池の温度を意識することなく最低限の抵抗で冷却を行うため、消費電力を低減することができる。なお、蓄電池移動装置は、電動送風機の消費電力に基づいて動作させる構成とすれば、電動送風機の電力消費増加により蓄電池の温度が上昇する前に蓄電池移動装置を動作させるため、蓄電池が高温になることをより確実に防ぐことができる。
【００３３】
（実施の形態２）
図３は、本発明の実施の形態２における電気掃除機を示すものである。実施の形態１と同一要素については同一符号を付してその説明を省略する。
【００３４】
本実施の形態において、蓄電池移動装置１６は、蓄電池保持装置２５と蓄電池収納バネ２６により構成されている。そして、図３（ａ）に示すように、通常時には蓄電池１３は排気風１４の当たらない位置に置かれ、一端が掃除機本体８内に回転可能に固定され、もう一端が蓄電池保持装置２５により保持され支えられている。蓄電池収納バネ２６は掃除機本体８と蓄電池１３の蓄電池保持装置２５により保持されている端をつないでおり、蓄電池１３が保持された状態で縮んでいる。
【００３５】
また、図３（ｂ）に示すように、蓄電池移動装置１６が動作すると、蓄電池保持装置２５は支えていた蓄電池１３を離し、蓄電池１３を排気風１４の当たる位置に移動させる。この状態では蓄電池１３は蓄電池収納バネ２６によって支えられている。この蓄電池１３の移動時に蓄電池自体が風路１５の一部を形成しており、排気風１４が蓄電池１３に沿って流れ、排気風１４は大きな乱れが生じることなく、掃除機本体８の外へ排出されるものである。
【００３６】
以上のように構成された電気掃除機について、以下その動作、作用を説明する。
【００３７】
まず、電気掃除機を起動すると、蓄電池１３から出力を得て電動送風機９が動作される。これによって、掃除機本体８へと空気が吸引され、吸引された空気は電動送風機９内を通り風路１５へと流される。電気掃除機起動直後は蓄電池１３の温度は低いため、排気風１４を蓄電池１３に当てて冷却する必要は無く蓄電池１３は排気風１４の当たらない位置に配置され、排気風１４はほとんど抵抗を受けること無く風路１５を通じ掃除機本体８の外へと排気される（図３（ａ））。
【００３８】
続いて、より強い吸引力で清掃を行いたい場合などに操作者は電気掃除機の運転モードを切り替え電動送風機９の消費電力を増加させる。運転モードの切り替えにより電動送風機９などの消費電力が増加するため、蓄電池１３の温度が上昇する。蓄電池１３の温度上昇を防ぐため、運転モードごとに設定されている電動送風機９の消費電力に基づいて蓄電池移動装置１６を動作させ蓄電池１３を移動させる。
【００３９】
蓄電池移動装置１６が動作されると、蓄電池保持装置２５が支えていた蓄電池１３を離す。蓄電池１３は自重により下方向に移動し、同時に蓄電池１３に取付けられた蓄電池収納バネ２６が伸びる。蓄電池収納バネ２６がある程度まで伸び、蓄電池１３の重さと蓄電池収納バネ２６の力が釣り合った位置で蓄電池１３は停止する。
【００４０】
蓄電池１３は風路１５の一部となるような位置に移動され、排気風１４は蓄電池１３に沿って流れることで流れに大きな乱れが生じさせず、小さな抵抗を受けるだけで掃除機本体８の外へ排出される（図３（ｂ））。
【００４１】
続いて、清掃終了後に操作者が電気掃除機を収納するため掃除機本体８を立てる。それによって蓄電池収納バネ２６にかかっていた蓄電池１３の重さがかからなくなるため、蓄電池収納バネ２６が縮み蓄電池１３が元の位置に戻る。それと同時に蓄電池保持装置２５が蓄電池１３を再び保持する（図３（ａ））。
【００４２】
このように、本実施の形態では、蓄電池の移動時に蓄電池自体が風路の一部を形成し、排気風が移動された蓄電池に沿って流れ掃除機本体外へと排出されることにより、排気風が蓄電池の周囲を通過する際に排気風の流れに乱れが生じて排気風が流れにくくなり消費電力が増加することを抑えることが可能となり、電気掃除機全体の消費電力を低減することができる。
【００４３】
また、蓄電池移動装置は、保持していた蓄電池を離すことで自重により蓄電池を移動させる構成とすることにより、蓄電池を少ない動力ですばやく移動させることが可能となり、消費電力を低減することができる。
【００４４】
（実施の形態３）
図４は、本発明の実施の形態３における電気掃除機を示すものである。実施の形態１と同一要素については同一符号を付してその説明を省略する。
【００４５】
本実施の形態において、蓄電池１３は蓄電池１３を冷却する冷却装置２７として金属製の放熱板２８を有している。放熱板２８はそれのみを上下に動かすことが可能で、かつ常に蓄電池１３の他の部分と密着しており、上下動を行っても放熱板２８から排気風１４への放熱性能はほとんど低下しないようにしている。また、蓄電池移動装置１６は熱変形部材２９により構成され、蓄電池１３の冷却装置２７のみを移動させるように接続されている。熱変形部材２９は形状記憶合金製バネ３０で構成されている。形状記憶合金製バネ３０は高温になると上下方向に伸びるものである。
【００４６】
以上のように構成された電気掃除機について、以下その動作、作用を説明する。
【００４７】
まず、電気掃除機を起動すると、蓄電池１３から出力を得て電動送風機９が動作される。これによって、掃除機本体８へと空気が吸引され、吸引された空気は電動送風機９内を通り風路１５へと流される。電気掃除機起動直後は蓄電池１３の温度は低いため、排気風１４を蓄電池１３に当てて冷却する必要は無く蓄電池１３は排気風１４の当たらない位置に配置され、排気風１４はほとんど抵抗を受けること無く掃除機本体８の外へと排出される（図４（ａ））。
【００４８】
続いて、清掃作業をしばらく行うと、電動送風機９の発熱や蓄電池１３自体の発熱などにより、掃除機本体８内部の温度が高くなる。それに伴い形状記憶合金製バネ３０の温度も高くなるためその熱により形状記憶合金製バネ３０は上下方向に伸びる。それにより、形状記憶合金製バネ３０は冷却装置２７である放熱板２８と接続されているため、放熱板２８は排気風１４の当たる位置へと移動され、排気風１４によって冷却される（図４（ｂ））。
【００４９】
このように、本実施の形態では、蓄電池の移動は、蓄電池に設けられた冷却装置のみを移動させる構成としたことにより、蓄電池全体を動作させるよりも少ない消費電力で蓄電池移動装置を動作でき、消費電力を低減することができる。
【００５０】
また、蓄電池移動装置は、熱変形部材で構成し、熱変形により蓄電池を移動させる構成としたことにより、蓄電池を少ない動力で移動させることが可能となり、消費電力を低減することができる。なお、熱変形部材２９は形状記憶合金製バネ３０としたが、バイメタルによって構成しても構わない。
【００５１】
（実施の形態４）
図５、図６は、本発明の実施の形態４における電気掃除機を示すものである。実施の形態１と同一要素については同一符号を付してその説明を省略する。
【００５２】
図５に示すように、本実施の形態においては、蓄電池１３と蓄電池移動装置１６を、掃除機本体８内に複数配置し、各蓄電池１３を個別に移動させるようにした。すなわち、一部の蓄電池移動装置１６は蓄電池１３を排気風１４に当たる位置に配置し、残りの蓄電池移動装置１６は蓄電池１３を排気風１４の当たらない位置に配置するようにしている。
【００５３】
また、図６に示すように、本実施の形態においては、蓄電池移動装置１６は、掃除機本体８が充電台３１において充電が行われる際に、蓄電池１３を移動させる構成とした。すなわち、蓄電池１３への充電が行われる際には、電動送風機９は動作していないが、蓄電池移動装置１６は蓄電池１３を移動させ、蓄電池１３同士の間隔を広げるようにしている。これにより、電動送風機９が動作せず排気風１４が流れないなど清掃作業時とは異なる状況の充電時においては、充電に伴い蓄電池１３に生じる熱が蓄電池１３の移動で周囲に放散されやすくなり、蓄電池１３が高温になりにくくなるため、より早く充電を行うことができる。
【００５４】
以上のように構成された電気掃除機について、以下その動作、作用を説明する。
【００５５】
まず、電気掃除機を起動すると、蓄電池１３から出力を得て電動送風機９が動作される。これによって、掃除機本体８へと空気が吸引され、吸引された空気は電動送風機９内を通り風路１５へと流される。電気掃除機起動直後は蓄電池１３の温度は低いため、排気風１４を蓄電池１３に当てて冷却する必要は無い。このため、蓄電池１３は排気風１４の当たらない位置に配置され、排気風１４はほとんど抵抗を受けること無く、掃除機本体８の外へと排気される。
【００５６】
続いて、清掃作業をしばらく行った後に、電動送風機９の発熱や蓄電池１３自体の発熱などにより、蓄電池１３の温度が高くなる。このため、蓄電池移動装置１６を動作させ蓄電池１３を冷却する。蓄電池移動装置１６は一度に多くの蓄電池１３を排気風１４が当たる位置に配置することで排気風１４が流れにくくならないよう、順番に蓄電池１３を移動させて排気風１４により冷却を行う。図５はその一課程を示している。
【００５７】
続いて、清掃終了後に操作者が掃除機本体８を充電台３１に接続し蓄電池１３に充電を行う。充電時には電動送風機９は動作しておらず排気風１４が流れていない。また、蓄電池１３は充電時に伴って発熱するため、蓄電池移動装置１６は、蓄電池１３同士の間隔を開けるように蓄電池１３を風路１５内の全体に広げて移動させ、図６に示すように、周囲に放散されやすくる。充電終了後は再び蓄電池１３を排気風１４の当たらない位置へと移動させる。
【００５８】
このように、本実施の形態では、各蓄電池を個別に移動させるようにしたことにより、蓄電池の配置をより様々に設定可能となるため、蓄電池各部の温度に合わせて最低限の抵抗で冷却が可能となるため、消費電力を低減することができる。
【００５９】
また、蓄電池移動装置は、掃除機本体が充電台において充電が行われる際に蓄電池を移動させる構成とすることにより、電動送風機が動作せず排気風が流れないなど清掃作業時とは異なる状況の充電時において、充電に伴い蓄電池に生じる熱が蓄電池の移動で周囲に放散されやすくなり蓄電池が高温になりにくくなるため、より早く充電を行うことができる。
【００６０】
なお、上記した各実施の形態１〜４における構成は、必要に応じて適宜組み合わせて使用することができるものであり、実施の形態そのものの構成に限られるものではない。
【産業上の利用可能性】
【００６１】
以上のように、本発明にかかる電気掃除機は、掃除機本体を大きくせずに蓄電池の冷却が行え、かつ冷却に必要な消費電力を低減させることができるので、充電式の各種掃除機に適用可能である。
【図面の簡単な説明】
【００６２】
【図１】本発明の実施の形態１における電気掃除機の全体構成図
【図２】（ａ）同電気掃除機の通常時の掃除機本体を示す断面図（ｂ）同冷却時の掃除機本体の断面図
【図３】（ａ）本発明の実施の形態２における電気掃除機の通常時の掃除機本体を示す断面図（ｂ）同冷却時の掃除機本体の断面図
【図４】（ａ）本発明の実施の形態３における電気掃除機の通常時の掃除機本体を示す断面図（ｂ）同冷却時の掃除機本体の断面図
【図５】本発明の実施の形態４における電気掃除機の掃除機本体を示す断面図
【図６】同電気掃除機の充電時の掃除機本体を示す断面図
【符号の説明】
【００６３】
８  掃除機本体
９  電動送風機
１３  蓄電池
１４  排気風
１５  風路
１６  蓄電池移動装置
１８  本体変形装置
１９  電池温度測定装置
２５  蓄電池保持装置
２７  冷却装置
３１  充電台
【図１】
2007117134.tif 000003
【図２】
2007117134.tif 000004
【図３】
2007117134.tif 000005
【図４】
2007117134.tif 000006
【図５】
2007117134.tif 000007
【図６】
2007117134.tif 000008